(57)【特許請求の範囲】
【請求項１】
絶縁材料からなるプラグボディに複数の細長い導体からなるプラグコンタクトの一端側を並列に固定したプラグと、絶縁材料からなるソケットボディにプラグ嵌合凹部を設けると共に複数の細長い導体からなるソケットコンタクトを並列に固定し、ソケットコンタクトの一端側に設けた弾性変位可能な可動接片をプラグ嵌合凹部に突出したソケットとを備え、基板にソケットを実装し、このソケットのプラグ嵌合凹部にプラグのプラグボディを基板に対して垂直の方向で挿入して、プラグコンタクトを基板に電気接続されたソケットコンタクトに電気接続する基板用コネクタであって、プラグはプラグコンタクトをソケットへの挿入方向とは垂直の方向へ引き出し、このプラグのソケットへの挿入側の端部とは反対側の端部に取付けて嵌合状態のプラグとソケットを覆うカバー部材を備え、このカバー部材をてこにしてプラグを抜上げるために、カバー部材は支点軸を介してプラグに回動自在に取付けると共にプラグとソケットが嵌合された時に支点軸より一側をソケットに当接させてその当接箇所をてこ支点として回動させるように構成したことを特徴とする基板用コネクタ。
【請求項２】
プラグとカバー部材の何れか一方に端部を他方の端から端に連続して当接させる突起を設ける請求項１に記載の基板用コネクタ。
【請求項３】
プラグとソケットが嵌合された時にカバー部材をソケットに固定する係合手段を設ける請求項１又は２に記載の基板用コネクタ。
【請求項４】
基板用コネクタを構成するプラグ、ソケット、カバー部材に加え、基板用コネクタと同じ構造の他の基板用コネクタを構成する他のプラグ、ソケット、カバー部材を備え、他のプラグのプラグボディにプラグコンタクトの他端側を並列に固定し、基板にソケットを実装する一方、他の基板に他のソケットを実装し、基板用コネクタと他の基板用コネクタによって基板間を電気的に接続するように構成した請求項１乃至３の何れか１項に記載の基板用コネクタ。
【請求項５】
絶縁材料からなる絶縁体を備え、プラグと他のプラグ間のプラグコンタクトを挿通させる複数の細幅のコンタクト溝を絶縁体の一面と他面に交互に設け、絶縁体の一面に設けたコンタクト溝に挿通するプラグコンタクトと絶縁体の他面に設けたコンタクト溝に挿通するプラグコンタクトとで絶縁体を移動可能に挟持する請求項４に記載の基板用コネクタ。
【発明の詳細な説明】
【技術分野】
【０００１】
本発明は例えば携帯電話機等に内蔵される基板間を電気的に接続するための基板用コネクタに関する。
【背景技術】
【０００２】
携帯電話機にも複数枚の基板（ＰＣＢ）が内蔵されており、この基板間を電気的に接続する従来の基板用コネクタは基板に、ソケットに並列に固定された複数のソケットコンタクトの一端側を半田付けにより固定し、ソケットを基板に実装する一方、他の基板に、他のソケットに並列に固定された複数のソケットコンタクトの一端側を半田付けにより固定し、他のソケットを他の基板に実装し、複数の細長い導体からなるプラグコンタクトの一端側を並列に固定したプラグをソケットに嵌合し、そのソケットコンタクトにプラグコンタクトの一端側を接触保持させる一方、プラグコンタクトの他端側を並列に固定した他のプラグを他のソケットに嵌合し、その他のソケットコンタクトにプラグコンタクトの他端側を接触保持させることにより、基板間を電気的に接続していた。
【０００３】
また基板間を電気的に接続する基板コネクタの中でプラグコンタクトとして複数の細長い導体を用いる場合、プラグコンタクトを等間隔で保持する絶縁板を設け、プラグコンタクトが相互接触しないようにしている（特許文献１）。
【特許文献１】特許第２９５９０９４号公報
【発明の開示】
【発明が解決しようとする課題】
【０００４】
本発明が解決しようとする課題は基板用コネクタにおいてはプラグとソケットのコンタクトの狭ピッチ化により塵埃等によるプラグとソケットのコンタクト間の接触不良等の不具合が発生し易くなる。またコンタクト数を増やす多ピン化によりプラグの挿入抜去が容易にできなくなる。
【課題を解決するための手段】
【０００５】
上記課題を解決するため本発明の請求項１に記載の発明は絶縁材料からなるプラグボディに複数の細長い導体からなるプラグコンタクトの一端側を並列に固定したプラグと、絶縁材料からなるソケットボディにプラグ嵌合凹部を設けると共に複数の細長い導体からなるソケットコンタクトを並列に固定し、ソケットコンタクトの一端側に設けた弾性変位可能な可動接片をプラグ嵌合凹部に突出したソケットとを備え、基板にソケットを実装し、このソケットのプラグ嵌合凹部にプラグのプラグボディを基板に対して垂直の方向で挿入して、プラグコンタクトを基板に電気接続されたソケットコンタクトに電気接続する基板用コネクタであって、プラグはプラグコンタクトをソケットへの挿入方向とは垂直の方向へ引き出し、このプラグのソケットへの挿入側の端部とは反対側の端部に取付けて嵌合状態のプラグとソケットを覆うカバー部材を備え、このカバー部材をてこにしてプラグを抜上げるために、カバー部材は支点軸を介してプラグに回動自在に取付けると共にプラグとソケットが嵌合された時に支点軸より一側をソケットに当接させてその当接箇所をてこ支点として回動させるように構成したもので、カバー部材により嵌合状態のプラグとソケットのコンタクト接触部を覆い塵埃等が入り難くし、狭ピッチ化によるプラグとソケットのコンタクト間の接触不良の発生を抑える。またカバー部材をてこにして小さな力でプラグを抜上げることができるので、多ピン化でコンタクト数が多くなってもプラグの抜去が容易に行える。
【０００６】
本発明の請求項２に記載の発明は請求項１に記載の発明に、プラグとカバー部材の何れか一方に端部を他方の端から端に連続して当接させる突起を設ける点が付加されたものである。この構成によりプラグ挿入時にプラグ挿入力をカバー部材からプラグ全体に均一に伝えることができるので、多ピン化でコンタクト数が多くなってもプラグの挿入が容易に行える。
【０００７】
本発明の請求項３に記載の発明は請求項１又は２に記載の発明に、プラグとソケットが嵌合された時にカバー部材をソケットに固定する係合手段を設ける点が付加されたものである。
【０００８】
本発明の請求項４に記載の発明は請求項１乃至３の何れか１項に記載の発明に、基板用コネクタを構成するプラグ、ソケット、カバー部材に加え、基板用コネクタと同じ構造の他の基板用コネクタを構成する他のプラグ、ソケット、カバー部材を備え、他のプラグがそのプラグボディにプラグコンタクトの他端側を並列に固定し、基板にソケットを実装する一方、他の基板に他のソケットを実装し、基板用コネクタと他の基板用コネクタによって基板間を電気的に接続するように構成した点が付加されたものである。
【０００９】
本発明の請求項５に記載の発明は請求項４に記載の発明に、絶縁材料からなる絶縁体を備え、プラグと他のプラグ間のプラグコンタクトを挿通させる複数の細幅のコンタクト溝を絶縁体の一面と他面に交互に設け、絶縁体の一面に設けたコンタクト溝に挿通するプラグコンタクトと絶縁体の他面に設けたコンタクト溝に挿通するプラグコンタクトとで絶縁体を移動可能に挟持する点が付加されたものである。この構成よりプラグコンタクトに固定しない絶縁体によりプラグコンタクト間に所定の隙間を確保して相互接触しないようにするので、絶縁体の装着位置や装着数を容易に変えることができ、基板間の接続距離や接続方向等の接続形態に容易に対応することができる。
【発明の効果】
【００１０】
本発明によればプラグとソケットのコンタクトの狭ピッチ化及び多ピン化が図られても、塵埃等によるプラグとソケットのコンタクト間の接触不良の発生を抑えると共に、プラグの挿入除去を容易に行えるコネクタを提供できる。
【発明を実施するための最良の形態】
【００１１】
以下本発明の実施の形態に係る基板用コネクタを図面を参照して説明する。図１は本発明の実施の形態に係る基板用コネクタの平面図、図２は同基板用コネクタの側面図、図３は同基板用コネクタの図１のＡ−Ａ断面図、図４は同基板用コネクタの図１のＢ−Ｂ断面図である。この基板用コネクタ１は並列配置される基板（ＰＣＢ）２Ａと他の基板（ＰＣＢ）２Ｂ間を電気的に接続するもので、一対のプラグ３Ａとソケット４Ａにカバー部材５Ａを付加して構成した基板用コネクタ６Ａと、他の一対のプラグ３Ｂとソケット４Ｂに他のカバー部材５Ｂを付加して構成した他の基板用コネクタ６Ｂと、絶縁体７とで構成している。
【００１２】
プラグ３Ａは絶縁材料（合成樹脂）からなる横長な略直方体形状のプラグボディ３０に、複数の細幅のコンタクト溝３１を左右横方向に所定の間隔（等間隔）を設けて並列に設け、このコンタクト溝３１に複数の細長い板状の導体からなる曲げ易い屈曲自在なプラグコンタクト１０の長さ方向に沿って略Ｕ字状に曲げた一端側１１Ａをプラグボディ３０の下端（挿入側端）から嵌込み、プラグコンタクト１０の一端側１１Ａにおける下端湾曲部から外側一片をプラグボディ３０の後側面と略面一になるようにコンタクト溝３１に圧入固定すると共に、プラグコンタクト１０の一端側１１Ａにおける下端湾曲部から内側一片をプラグボディ３０の前側でコンタクト溝３１に弾性変位可能に嵌込み、プラグコンタクト１０の一端側１１Ａを左右横方向に所定の間隔（等間隔）を設けて絶縁状態で並列に固定して構成している。これによりプラグ３Ａの後側面にはプラグコンタクト１０の一端側１１Ａにおける下端湾曲部から外側一片が略面一に露出され、プラグ３Ａの前側面上部からプラグコンタクト１０が引出される。このプラグ３Ａにはカバー部材５Ａを取付けるためにプラグボディ３０の左右側面上部から垂直に突出する水平な左右横向きの支点軸３２を一体に設けている。
【００１３】
ソケット４Ａは絶縁材料（合成樹脂）からなる横長な略直方体形状のソケットボディ４０の前部に、プラグ３Ａを上面側から挿入し嵌合するプラグ嵌合凹部４１を設けると共に、ソケットボディ４０の後部に下端をソケットボディ４０の底面に開放し、かつプラグ嵌合凹部４１との間の隔壁を破ってそのプラグ嵌合凹部４１に連通する複数の細幅のコンタクト溝４２を左右横方向に所定の間隔（等間隔）を設けて並列に設け、このコンタクト溝４２に長さ方向に沿って略逆Ｕ字状に曲げた複数の細長い板状の導体からなる脚付きのソケットコンタクト２０をソケットボディ４０の底面側から嵌込み、ソケットコンタクト２０における上端湾曲部から後側一片をコンタクト溝４２の後側の溝壁面に沿うようにコンタクト溝４２に圧入固定すると共に、ソケットコンタクト２０における上端湾曲部から前側一片、つまりソケットコンタクト２０の一端側に設けた弾性変位可能な可動接片２１をコンタクト溝４２に弾性変位可能に嵌込み、可動接片２１の先端部（自由端部）をプラグ嵌合凹部４１内に突出させ、かつソケットコンタクト２０における上端湾曲部より後側一片の下端から後方に向けて水平に延出した脚部、つまりソケットコンタクト２０の他端側に設けた半田付け部２２をソケットボディ４０の後外側にソケットボディ４０の底面と略面一に突出した状態で、ソケットコンタクト２０を左右横方向に所定の間隔（等間隔）を設けて絶縁状態で並列に固定して構成している。またソケットボディ４０の前部でプラグ嵌合凹部４１のさらに左右外側に細幅の溝孔４３を設け、この溝孔４３に金属製のＬ形金具でなる補強端子４４の一片をソケットボディ４０の底面側から圧入固定し、補強端子４４の他片、つまり半田付け部（脚部）をソケットボディ４０の左右外側にソケットボディ４０の底面と略面一に突出させている。これによりソケット４Ａの上側面前部にはプラグ挿入口（プラグ嵌合凹部４１の開放端）が開口され、ソケット４Ａの底面にはソケットコンタクト２０の半田付け部２２と補強端子４４の半田付け部とが略面一に露出されて、ソケットコンタクト２０の半田付け部２２がソケット４Ａの後外側に突出され、補強端子４４の半田付け部がソケット４Ａの左右外側に突出される。このソケット４Ａにはプラグ３Ａとソケット４Ａが嵌合された時にカバー部材５Ａを固定するためにソケットボディ４０の後側面左右２箇所に係合爪４５を一体に設けている。
【００１４】
ソケット４Ａは基板２Ａに表面実装することによりソケットコンタクト２０の半田付け部２２及び補強端子４４の半田付け部がそれぞれ基板２Ａに半田付けで固定され、ソケットコンタクト２０が基板２Ａと電気的に接続されている。なおソケット４Ａには基板２Ａに設けた位置決め孔６０に嵌合して基板２Ａに対して位置決めするためにソケットボディ４０の底面に２箇所に位置決め突起４７を一体に設けている。
【００１５】
カバー部材５Ａは絶縁材料（合成樹脂）からなる成形品であり、嵌合状態のプラグ３Ａとソケット４Ａを上方及び後方から覆うもので、図６にも示すように嵌合状態のプラグ３Ａとソケット４Ａを上方から覆う矩形平板状のカバー天板部５０と、このカバー天板部５０の後側縁に直角に連設されて嵌合状態のプラグ３Ａとソケット４Ａを後方から覆うと共に、前記ソケットコンタクト２０の半田付け部２２を上方から覆う矩形平板状のカバー後側板部５１と、前記カバー天板部５０の左右側縁と前記カバー後側板部５１の左右側縁に沿うように直角に曲がり嵌合状態のプラグ３Ａとソケット４Ａにおけるソケット４Ａの上側面前部から突出するプラグ３Ａの左右側面上部からソケット４Ａの左右側面後部を一体的に左右側方から覆うカバー左右側板部５２とを一体に設けている。このカバー部材５Ａはカバー左右側板部５２の前部を取付け孔５３を介してプラグ３Ａに設けた支点軸３２に軸支させ、この支点軸３２を介してプラグ３Ａに回転自在に取付けている。このカバー部材５Ａによりプラグ３Ａは上方、後方、左右側方が覆われて、プラグコンタクト１０を引出す方向の前方とソケット４Ａに挿入する方向の下方が開放された状態になる。このカバー部材５Ａにはカバー天板部５０がプラグ３Ａに対して垂直になる回転位置で先端をプラグ３Ａの上端面に対してこの左端から右端に連続して当接させる突起５４をカバー天板部５０の内面に一体に設け、またプラグ３Ａとソケット４Ａが嵌合された時にソケットボディ４０に設けた係合爪４５とプラグ抜去方向で係合させてカバー部材５Ａをソケット４Ａに固定する係合爪５５をカバー後側板部５１の内面左右２箇所に一体に設けている。さらにソケット４Ａとカバー部材５Ａにプラグ３Ａとソケット４Ａが嵌合された時に支点軸３２より前側で接合させる接合部４６，５６を設けるもので、プラグ３Ａとソケット４Ａが嵌合された時にソケットボディ４０の前側壁の上端面の左右端部にカバー左右側板部５２の下端面の前端部を接合させており、ソケットボディ４０の前側壁の上端面の左右端部をソケット４Ａ側の接合部４６とし、カバー左右側板部５２の下端面の前端部をカバー部材５Ａ側の接合部５６としている。
【００１６】
またカバー部材５Ａには上向きに開放したコ字形の切込み５７をカバー後側板部５１の上部左右２箇所に形成すると共に、各切込み５７の左右辺部をカバー天板部５０の後部に延設形成し、この各切込み５７で囲われたカバー後側板部５１の一部とカバー天板部５０の一部からなる直角に曲がった可動板部５８を一体に設けている。この各可動板部５８にはカバー天板部５０の一部から面一にカバー後側板部５１の一部より後方へ突出する操作レバー５９を一体に設けると共に、可動板部５８の自由端部であるカバー後側板部５１の一部の下端部内面にカバー部材５Ａ側の係合爪５５を一体に設けている。なお各可動板部５８のカバー後側板部５１の一部は弾性変形し易いように薄肉に形成されている。
【００１７】
以上基板用コネクタ６Ａは一対のプラグ３Ａとソケット４Ａに付加したカバー部材５Ａにより防塵カバー付き基板用コネクタに構成されている。
【００１８】
次に他の基板用コネクタ６Ｂの他の一対のプラグ３Ｂとソケット４Ｂ及びこれらに付加するカバー部材５Ｂは前記基板用コネクタ６Ａの一対のプラグ３Ａとソケット４Ａ及びこれらに付加したカバー部材５Ａと同じ構造で、他の基板用コネクタ６Ｂを前記基板用コネクタ６Ａと同じ防塵カバー付き基板用コネクタに構成するので、同一部分に同一符号を付して詳しい説明を省略する。ただし図３に示すように他の基板用コネクタ６Ｂの他のプラグ３Ｂはこのプラグボディ３０に、前記プラグコンタクト１０の長さ方向に沿って略Ｕ字状に曲げられた他端側１１Ｂを左右横方向に所定の間隔（等間隔）を設けて絶縁状態で並列に固定して構成している。また他の基板用コネクタ６Ｂの他のソケット４Ｂは他の基板２Ｂに表面実装することによりソケットコンタクト２０の半田付け部２２及び補強端子４４の半田付け部がそれぞれ基板２Ｂに半田付けで固定され、ソケットコンタクト２０が基板２Ｂと電気的に接続されている。
【００１９】
次に、基板用コネクタ６Ａのプラグ３Ａとソケット４Ａとを嵌合すべく、プラグ３Ａをソケット４Ａのプラグ嵌合凹部４１に挿入するプラグ挿入方法について図７〜図１０を参照して説明する。
【００２０】
先ず図７に示すようにプラグ３Ａに支点軸３２を介して回転自在に取付けたカバー部材５Ａを支点軸３２を中心に回転させてカバー天板部５０がプラグ３Ａに対して垂直になり、突起５４の先端がプラグ３Ａの上端面に当接する回転位置に保持し、突起５４の先端とプラグ３Ａの上端面との当接（面接触）によりプラグ３Ａをカバー天板部５０に対して垂直姿勢に保持する。この状態でカバー部材５Ａを基板２Ａに実装したソケット４Ａの真上に位置させ、カバー部材５Ａを下げて基板２Ａに近付けることにより、カバー部材５Ａの後部下端側がソケット４Ａの高背の後部外側に上側から嵌合し、この嵌合によりソケット４Ａに対してカバー部材５Ａとプラグ３Ａが位置決めされ、プラグ３Ａがソケット４Ａのプラグ嵌合凹部４１の真上に位置する。この状態でさらにカバー部材５Ａを下げて基板２Ａに近付けることにより、カバー部材５Ａの後部がさらにソケット４Ａの後部外側に嵌合しながら、プラグ３Ａの下端部がソケット４Ａの低背の前部上面側に開口されたプラグ挿入口に嵌込む（プラグ挿入開始）。この状態でさらにカバー部材５Ａを下げて基板２Ａに近付けることにより、図８に示すようにカバー部材５Ａの後部がさらにソケット４Ａの後部外側に嵌合しながら、プラグコンタクト１０の一端側１１Ａにおける下端湾曲部がソケット４Ａのプラグ嵌合凹部４１に突出したソケットコンタクト２０の可動接片２１の先端部に当るまで、プラグ３Ａがソケット４Ａのプラグ嵌合凹部４１に挿入される。そしてこれ以降ソケットコンタクト２０の可動接片２１がプラグ３Ａの挿入抵抗になるため、カバー部材５Ａを押下げてカバー天板部５０の突起５４でプラグ３Ａを押下げることにより、カバー部材５Ａの後部がさらにソケット４Ａの後部外側に嵌合しながら、ソケットコンタクト２０の可動接片２１を押して弾性変形させ、この可動接片２１の先端部をプラグ嵌合凹部４１からソケット溝４２に押退け、可動接片２１の先端部を超えて、プラグ３Ａがさらにソケット４Ａのプラグ嵌合凹部４１に挿入されると共に、プラグ３Ａの後側面に略面一に露出されたプラグコンタクト１０の一端側１１Ａにおける下端湾曲部から外側一片にソケットコンタクト２０の可動接片２１の先端部が押当てられて接触する。この状態でカバー部材５Ａをさらに押下げてカバー天板部５０の突起５４でプラグ３Ａを押下げることにより、図９，図１０に示すようにカバー部材５Ａの後部がさらにソケット４Ａの後部外側に嵌合しながら、プラグ３Ａの下端がソケット４Ａのプラグ嵌合凹部４１の底面に突当たるまで、プラグ３Ａがソケット４Ａのプラグ嵌合凹部４１に完全挿入されて、プラグ３Ａとソケット４Ａが嵌合される（プラグ挿入完了）。
【００２１】
プラグ３Ａとソケット４Ａとの嵌合時（プラグ３Ａとソケット４Ａとを嵌合する際）に、カバー部材５Ａによりプラグ３Ａが隠されるが、このプラグ３Ａのソケット４Ａとの位置決めをカバー部材５Ａにより行うことができるので、プラグ３Ａの挿入は難しくならない。
【００２２】
また基板用コネクタ６Ａの多ピン化でプラグコンタクト１０及びソケットコンタクト２０のコンタクト数が多くなるに連れて、プラグ３Ａとソケット４Ａとの嵌合時にプラグ３Ａの挿入抵抗は大きくなるが、カバー部材５Ａのカバー天板部５０に設けた突起５４は先端をプラグ３Ａの上端面にこの左端から右端に連続して当接させてプラグ３Ａを挿入方向に押すので、カバー部材５Ａによりプラグ挿入力をプラグ３Ａ全体に均一に伝えることができ、多ピン化でコンタクト数が多くなっても、プラグ３Ａの挿入を容易に行うことができる。なお本実施の形態では突起５４をカバー部材５Ａ側に設けたが、プラグ３Ａ側に設けることもできる。
【００２３】
そして図１〜図３，図９，図１０に示すようにプラグ３Ａとソケット４Ａとが嵌合される直前からカバー部材５Ａの可動板部５８に設けた係合爪５５が可動板部５８の弾性変形を伴ってソケット４Ａに設けた係合爪４５の上に乗上げ、プラグ３Ａとソケット４Ａとが嵌合された時にカバー部材５Ａの可動板部５８に設けた係合爪５５がソケット４Ａに設けた係合爪４５を乗越えてこの下側に移動し、これと同時にカバー部材５Ａの可動板部５８に設けた係合爪５５が可動板部５８の弾性復帰によりソケット４Ａに設けた係合爪４５とプラグ抜去方向で係合する。これによりカバー部材５Ａがソケット４Ａに固定（抜止め）され、この固定されたカバー部材５Ａによりプラグ３Ａがソケット４Ａに固定（抜止め）され、プラグ３Ａとソケット４Ａの嵌合状態及びカバー部材５Ａとソケット４Ａの嵌合状態が保持される。これによりソケット４Ａのプラグ嵌合凹部４１内におけるプラグコンタクト１０の一端側１１Ａにおける下端湾曲部から外側一片とソケットコンタクト２０の可動接片２１の先端部との接触が保持され、プラグコンタクト１０の一端側１１Ａが基板２Ａと電気的に接続される。
【００２４】
プラグ３Ａとソケット４Ａとが嵌合された時にはソケット４Ａに固定されたカバー部材５Ａにより嵌合状態のプラグ３Ａとソケット４Ａが上方及び後方から覆われ、嵌合状態のプラグ３Ａとソケット４Ａのコンタクト接触部、つまりソケット４Ａのプラグ嵌合凹部４１が覆われ、このプラグ嵌合凹部４１に塵埃等が入り難くなる。これによりプラグ３Ａとソケット４Ａのコンタクト１０，２０の狭ピッチ化によるこれらコンタクト１０，２０間の接触不良の発生を抑えることができ、またカバー部材５Ａによりソケットコンタクト２０の半田付け部２２が上方から覆われ、この半田付け部２２の表面やその間に塵埃等が落ちて堆積し難くなる。これによりプラグ３Ａとソケット４Ａのコンタクト１０，２０の狭ピッチ化によるソケットコンタクト２０の半田付け部２２の絶縁不良の発生を抑えることができる。
【００２５】
またプラグ３Ａとソケット４Ａとが嵌合された時には支点軸３２より前側に設けたソケット４Ａ側の接合部４６とカバー部材５Ａ側の接合部５６が接合している。つまりソケットボディ４０の前側壁の上端面の左右端部とカバー左右側板部５２の下端面の前端部が接合している。
【００２６】
なお他の基板用コネクタ６Ｂのプラグ３Ｂとソケット４Ｂとを嵌合すべく、プラグ３Ｂをソケット４Ｂのプラグ嵌合凹部４１に挿入するプラグ挿入方法やプラグ３Ｂとソケット４Ｂとの嵌合状態等については図７〜図１０に示した前記基板用コネクタ６Ａのプラグ挿入方法やプラグ３Ａとソケット４Ａとの嵌合状態と同じであるため、その詳しい説明及び相当図面を省略する。
【００２７】
そして図１〜図３に示すように基板用コネクタ６Ａ側において、プラグ３Ａをソケット４Ａのプラグ嵌合凹部４１に挿入して嵌合し、ソケット４Ａのプラグ嵌合凹部４１内でプラグコンタクト１０の一端側１１Ａにおける下端湾曲部から外側一片とソケットコンタクト２０の可動接片２１の先端部とを接触保持し、プラグコンタクト１０の一端側１１Ａと基板２Ａとを電気的に接続する一方、他の基板用コネクタ６Ｂ側において、他のプラグ３Ｂを他のソケット４Ｂのプラグ嵌合凹部４１に挿入して嵌合し、ソケット４Ｂのプラグ嵌合凹部４１内でプラグコンタクト１０の他端側１１Ｂにおける下端湾曲部から外側一片とソケットコンタクト２０の可動接片２１の先端部を接触保持し、プラグコンタクト１０の他端側１１Ｂと基板２Ｂとを電気的に接続することにより、プラグコンタクト１０とソケット４Ａのソケットコンタクト２０及び他のソケット４Ｂのソケットコンタクト２０を通じて基板２Ａと他の基板２Ｂ間を電気的に接続することができる。
【００２８】
次に図１〜図３，図９，図１０に示した嵌合状態の基板用コネクタ６Ａのプラグ３Ａとソケット４Ａとを分離すべく、プラグ３Ａをソケット４Ａのプラグ嵌合凹部４１から抜去るプラグ抜去方法について図１１を参照して説明する。
【００２９】
先ず図１〜図３，図９，図１０に示した嵌合状態の基板用コネクタ６Ａにおけるカバー部材５Ａの後部をカバー部材５Ａの可動板部５８に設けた操作レバー部５９に指先を引っ掛けて持上げ操作する。このようにカバー部材５Ａの後部を持上げ操作することにより、カバー部材５Ａの可動板部５８に設けた係合爪５５が可動板部５８の弾性変形を伴ってソケットボディ４０の後側面から離反してソケット４Ａに設けた係合爪４５との係合が解除される。この状態でカバー部材５Ａは図１１に示すようにプラグ３Ａにカバー部材３Ａを回転自在に取付けている支点軸３２より前側で接合した接合部４６，５６をてこ支点にして回転し、このカバー部材５Ａの回転動作に伴ってプラグ３Ａを支点軸３２を介して（支点軸３２を作用点として）ソケット４Ａのプラグ嵌合凹部４１内で抜上げる。つまりカバー部材５Ａをてこにしてプラグ３Ａをソケット４Ａのプラグ嵌合凹部４１内で抜上げることができる。このプラグ３Ａの抜上げによりプラグ３Ａの下端部がソケットコンタクト２０の可動接片２１の先端部付近に持上がる程度、プラグ３Ａをソケット４Ｂのプラグ嵌合凹部４１内で抜上げ、この後カバー部材５Ａをソケット４Ａの略真上に持上げてプラグ３Ａをソケット４Ｂのプラグ嵌合凹部４１から抜去るものである。
【００３０】
ここでプラグ３Ａをソケット４Ａのプラグ嵌合凹部４１内で抜上る際、ソケットコンタクト２０の可動接片２１の先端部がプラグコンタクト１０の一端側１１Ａにおける下端湾曲部から外側一片に接触している抜上げ初期の間は、その接触圧がプラグ３Ａの大きな抜上げ抵抗となるが、プラグ３Ａの下端部がソケットコンタクト２０の可動接片２１の先端部付近まで持上がると、ソケットコンタクト２０の可動接片２１の先端部が、プラグコンタクト１０の一端側１１Ａにおける下端湾曲部に接触し、この時点で接触圧（プラグ３Ａの抜き上げ抵抗）は小さくなり、プラグ３Ａの下端部がソケットコンタクト２０の可動接片２１の先端部を超えて、ソケットコンタクト２０の可動接片２１の先端部からプラグコンタクト１０の一端側１１Ａが離れ、接触圧がなくなるのに伴ってプラグ３Ａの抜上げ抵抗は略なくなる。そして上記のようにプラグ３Ａの下端部がソケットコンタクト２０の可動接片２１の先端部付近に持上がる程度まで、カバー部材５Ａをてこにしてプラグ３Ａをソケット４Ａのプラグ嵌合凹部４１内で抜上げることにより、ソケット４Ａのプラグ嵌合凹部４１内でのプラグ３Ａの抜上げから抜去を小さな力で容易に行うことができる。
【００３１】
また基板用コネクタ６Ａの多ピン化でプラグコンタクト１０及びソケットコンタクト２０のコンタクト数が多くなるに連れて、ソケット４Ａに嵌合されたプラグ３Ａを抜去時に、プラグ３Ａの抜き上げ抵抗は大きくなるが、カバー部材５Ａをてこにして小さな力でプラグ３Ａをソケット４Ａのプラグ嵌合凹部４１内で抜き上げることができるので、多ピン化でコンタクト数が多くなっても、プラグ３Ａの抜去を容易に行うことができる。
【００３２】
なお図１〜図３に示した嵌合状態の他の基板用コネクタ６Ｂのプラグ３Ｂとソケット４Ｂとを分離すべく、プラグ３Ｂをソケット４Ｂのプラグ嵌合凹部４１から抜去るプラグ抜去方法については図１１に示した前記基板用コネクタ６Ａのプラグ抜去方法と同じであるため、その詳しい説明及び相当図面を省略する。
【００３３】
ところで複数の細長い板状の導体からなるソケットコンタクト２０は導電性の薄板金属を打抜き及び曲げ加工することにより、図示しないキャリアに半田付け部２２の端部を連続した状態で所定ピッチで所定の間隔を設けて並列に成形される。そしてこの状態でソケットコンタクト２０をソケットボディ４０のコンタクト溝４２に嵌込み、ソケットボディ４０にソケットコンタクト２０を左右横方向に所定の間隔（等間隔）を設けて絶縁状態で並列に固定した後、キャリアをソケットコンタクト２０から切離すことにより、ソケット４Ａ，４Ｂが構成される。また複数の細長い板状の導体からなる曲げ易い屈曲自在なプラグコンタクト１０も導電性の薄板金属を打抜き及び曲げ加工することにより、図示しないキャリアに一端側１１Ａの端部を連続し、かつ図示しない他のキャリアに他端側１１Ｂの端部を連続した状態で、キャリアと他のキャリア間に所定ピッチで所定の間隔を設けて並列に成形される。そしてこの状態でプラグコンタクト１０の一端側１１Ａをプラグボディ３０のコンタクト溝３１に嵌込み、プラグボディ３０にプラグコンタクト１０の一端側１１Ａを左右横方向に所定の間隔（等間隔）を設けて絶縁状態で並列に固定した後、キャリアをプラグコンタクト１０の一端側１１Ａから切離すことにより、プラグ３Ａが構成される一方、プラグコンタクト１０の他端側１１Ｂをプラグボディ３０のコンタクト溝３１に嵌込み、プラグボディ３０にプラグコンタクト１０の他端側１１Ｂを左右横方向に所定の間隔（等間隔）を設けて絶縁状態で並列に固定した後、キャリアをプラグコンタクト１０の他端側１１Ｂから切離すことにより、他のプラグ３Ａが構成される。
【００３４】
また図１〜図３、図５に示すように、プラグ３Ａと他のプラグ３Ｂを繋ぐプラグコンタクト１０におけるプラグ３Ａと他のプラグ３Ｂ間の中間部１２，１３（一端側１１Ａと他端側１１Ｂの間）はその両端部を除いて各基板２Ａ，２Ｂと平行に延伸するように直線状に成形され、その両端部は各端部に向かって上り傾斜状に成形されている。この中間部１２，１３における直線部分の長さが、並列配置される基板２Ａと他の基板２Ｂ間の間隔、つまり接続距離に基づいて設定されている。そして中間部１２，１３の一端側傾斜上端と一端側１１Ａの下端湾曲部から内側一片の上端部とが連続一体に繋がれる一方、中間部１２，１３の他端側傾斜上端と他端側１１Ｂの下端湾曲部から内側一片の上端部とが連続一体に繋がれている。このプラグコンタクト１０は中間部１２，１３の直線部分の長さをニ二等分する点を境にして対称に形成されている。
【００３５】
図２，図３，図７〜図１０に示すようにプラグ３Ａ，３Ｂの前側面からはプラグコンタクト１０の中間部１２，１３における両端部の傾斜部分が斜め下方に引出されるようになるので、図１１に示したようにカバー部材５Ａ，５Ｂをてこにしてプラグ３Ａ，３Ｂをソケット４Ａ，４Ｂのプラグ嵌合凹部４１内で抜上げる際のカバー部材５Ａ，５Ｂの回転で下降するカバー部材５Ａ，５Ｂの前部が、プラグ３Ａ，３Ｂの前側面から引出されているプラグコンタクト１０と干渉することがなく、プラグコンタクト１０の曲げ損傷を防止することができる。
【００３６】
さらに図１〜図５に示すようにプラグコンタクト１０はこの中間部１２，１３における両端部の傾斜部分の長さを変えることにより、直線部分の高さ位置のみが異なる２種類に分けて成形され、直線部分が高位の中間部１２を有するプラグコンタクト１０と直線部分が低位の中間部１３を有するプラグコンタクト１０とが交互に配列されており、これによりプラグコンタクト１０の中間部１２，１３における直線部分をコンタクト厚さ方向（上下方向）に位置ずれさせ、プラグコンタクト１０の中間部１２，１３における直線部分に側面視で所定の隙間１４を確保するように構成している。なお隙間１４の両端は直線部分が低位の中間部１３における両端部の傾斜部分により閉じられている。
【００３７】
また図１〜図４に示すようにプラグ３Ａと他のプラグ３Ｂ間のプラグコンタクト１０の中間部１２，１３に絶縁体７を配設し、この絶縁体７により隣接するプラグコンタクト１０間に所定の隙間を確保して相互接触しないようにするもので、この絶縁体７は絶縁材料（合成樹脂）からなり略直方体形状に形成されており、プラグコンタクト１０の中間部１２，１３を所定ピッチで所定の間隔を設けて挿通する複数の細幅のコンタクト溝７０を絶縁体７の上面と下面に交互に振分けて設けている。そして絶縁体７の上面に設けたコンタクト溝７０には直線部分が高位の中間部１２を有するプラグコンタクト１０のその中間部１２における直線部分を絶縁体７の上面側から嵌込んで前後方向に挿通させる一方、絶縁体７の下面に設けたコンタクト溝７０には直線部分が低位の中間部１３を有するプラグコンタクト１０のその中間部１３における直線部分を絶縁体７の下面側から嵌込んで前後方向に挿通させ、これら直線部分が高位の中間部１２を有するプラグコンタクト１０のその中間部１２における直線部分と、直線部分が低位の中間部１３を有するプラグコンタクト１０のその中間部１３における直線部分とで、コンタクト溝７０により厚さが減じられた絶縁体７である板状の芯部７１をその厚さ方向（上下方向）で挟み、プラグコンタクト１０の中間部１２，１３にコンタクト長さ方向に移動可能に絶縁体７を挟込み、コンタクト溝７０間の絶縁体７である隔壁部７２により隣接するプラグコンタクト１０間に所定の隙間を確保して相互接触しないように構成している。
【００３８】
プラグコンタクト１０の中間部１２，１３にそのコンタクト長さ方向に移動可能に挟込んだだけの固定しない絶縁体７により隣接するプラグコンタクト１０が相互接触しないように構成することにより、絶縁体７の装着位置や装着数を容易に変えることができ、基板２Ａ，２Ｂ間の接続距離や接続方向等の接続形態の異なりに容易に対応することができる。また絶縁体７の上面に設けたコンタクト溝７０に挿通するプラグコンタクト１０の中間１２における直線部分と絶縁体７の下面に設けたコンタクト溝７０に挿通するプラグコンタクト１０の中間部１３における直線部分との間に、側面視で最初から所定の隙間１４を確保するように構成したので、絶縁体７の挟込みを容易に行うことができると共に、絶縁体７の装着位置や装着数を変える際、プラグコンタクト１０に変形力が加わらず塑性変形させてしまうのを防止することができる。
【００３９】
なお本実施の形態は並列配置される基板２Ａと他の基板２Ｂ間を電気的に接続する基板用コネクタ１を示したが、プラグコンタクト１０をその中間部１２，１３における直線部分で曲げることにより、段差や角度が付く基板間も電気的に接続することができる。またソケット４Ａ，４Ｂは表面実装タイプのものを示したが、ピン実装タイプのものでも良い。
【図面の簡単な説明】
【００４０】
【図１】本発明の実施の形態に係る基板用コネクタの平面図である。
【図２】同基板用コネクタの側面図である。
【図３】同基板用コネクタの図１のＡ−Ａ断面図である。
【図４】同基板用コネクタの図１のＢ−Ｂ断面図である。
【図５】（Ａ）直線部分が高位の中間部を有するプラグコンタクトの側面図、（Ｂ）直線部分が低位の中間部を有するプラグコンタクトの側面図である。
【図６】（Ａ）カバー部材の内面側の外観図である。（Ｂ）カバー部材の外面側の外観図である。
【図７】プラグとソケットとの嵌合時のプラグ挿入開始状態を示す基板用コネクタの断面図である。
【図８】プラグとソケットの嵌合時のプラグ挿入途中の状態を示す基板用コネクタの断面図である。
【図９】プラグとソケットの嵌合状態（プラグ完全挿入状態）を示す基板用コネクタの断面図である。
【図１０】プラグとソケットとの嵌合状態を示す基板用コネクタの側面図である。
【図１１】プラグ抜去時にカバー部材をてこにしてプラグをソケットのプラグ嵌合凹部内で抜上げた状態を示す基板用コネクタの断面図である。
【符号の説明】
【００４１】
１  基板用コネクタ
２Ａ，２Ｂ  基板
３Ａ，３Ｂ  プラグ
４Ａ，４Ｂ  ソケット
５Ａ，５Ｂ  カバー部材
６Ａ，６Ｂ  基板用コネクタ
７  絶縁体
１０  プラグコンタクト
１１Ａ，一端側
１１Ｂ  他端側
１２，１３  中間部
１４  隙間
２０  ソケットコンタクト
２１  可動接片
２２  半田付け部
３０  プラグボディ
３１  コンタクト溝
３２  支点軸
４０  ソケットボディ
４１  プラグ嵌合凹部
４２  コンタクト溝
４５  係合爪（係合手段）
４６  接合部（てこ支点）
５０  カバー天板部
５１  カバー後側板部
５２  カバー左右側板部
５３  取付け孔
５４  突起
５５  係合爪（係合手段）
５６  接合部（てこ支点）
５７  切込み
５８  可動板部
５９  操作レバー
７０  コンタクト溝
【図１】
0004521351.tif 000002
【図２】
0004521351.tif 000003
【図３】
0004521351.tif 000004
【図４】
0004521351.tif 000005
【図５】
0004521351.tif 000006
【図６】
0004521351.tif 000007
【図７】
0004521351.tif 000008
【図８】
0004521351.tif 000009
【図９】
0004521351.tif 000010
【図１０】
0004521351.tif 000011
【図１１】
0004521351.tif 000012